(57)【要約】  【課題】  吸込グリルの開度を規制するリンクの連結ピンを吸込口側部のガイド部に正確に連結できると共に、簡単に取り外しできるようにした空気調和機を提供する。  【解決手段】  吸込口側部のガイド部４に吸込グリル２の開度を制限するリンク10の連結ピン６を連結した際、同連結ピン６の挿通孔6aに規制部材11を嵌挿することにより同連結ピン６の係止爪6bの弾性変形による縮径をなくし、同係止爪6bが前記ガイド部４から離脱しないようにして前記吸込グリル２の開度を正確に制限できるようにし、前記連結ピン６のねじ孔6aからねじ11を取り外すことにより、前記連結ピン６の係止爪6bを弾性変形させ前記ガイド部４から離脱させて前記吸込グリル２を制限なく開くことができるようにした。【選択図】  図５
2005049052.tif 000002
【特許請求の範囲】
【請求項１】
本体の吸込口に対応する吸込グリルの一側を開閉自在に枢支し、他側を係脱自在に係止する係止手段と、所定の開度に規制する規制手段とを備えた空気調和機であって、
前記規制手段が、前記吸込口の側部に設けられたガイド部と、前記吸込グリルの側部に設けられた支持部と、前記ガイド部に連結される連結ピンを一端に備え、前記支持部を通した支持ピンに連結されるボス部を他端に備え、前記連結ピンと前記ボス部との間を連結する連結桿を備え、前記吸込グリルの他側を所定の開度に規制するリンクとで構成されると共に、
前記ガイド部および、または前記支持部が軸孔とされ、前記連結ピンが、先端部に軸径方向に弾性変形する係止爪を備え、中心部に設けられた挿通孔に前記係止爪の弾性変形を規制する規制部材を着脱可能に備え、前記支持ピンが、基端部に前記支持部の周縁に係合するフランジを備え、先端部に軸径方向に弾性変形する係止爪を備えてなることを特徴とする空気調和機。
【請求項２】
前記規制部材が、前記挿通孔に嵌挿される嵌挿ピンからなることを特徴とする請求項１に記載の空気調和機。
【請求項３】
前記嵌挿ピンが、ピン径方向に弾性変形する割りピンからなることを特徴とする請求項２に記載の空気調和機。
【請求項４】
前記規制部材が、ねじ孔とされた前記挿通孔に螺着される止めねじからなることを特徴とする請求項１に記載の空気調和機。
【発明の詳細な説明】
【技術分野】
【０００１】
本発明は、空気調和機に係わり、より詳細には、吸込グリルの開度を規制するリンクの連結ピンを吸込口側部のガイド部に正確に連結できると共に、簡単に取り外しできるようにした構造に関する。
【背景技術】
【０００２】
従来の空気調和機に備えた吸込グリル開閉装置には、例えばフィルタの清掃時には吸込グリルの開度を適切に規制し、メンテナンス等、必要な時は工具を使用して全開することにできる、安全でしかもメンテナンス性に優れたものとして、本体ケーシングの前面下部に設けた吸込口に、裏面にフィルタを挿着するフィルタガイドを備えた吸込グリルの一側を開閉自在に枢支するとともに、他側に嵌合爪を設け、同嵌合爪を前記吸込口の上壁に形成した折曲部に取り付けたキャッチャの嵌合溝に挿抜して開閉するようにした空気調和機の吸込グリル開閉装置において、前記嵌合爪の上部に、先端に係止用フックを設け、他端を前記吸込グリルにネジ等で着脱自在に固定されるアームを一体に形成する一方、前記キャッチャの上部折曲部に同アームの先端部の係止用フックを挿通するとともに係止する係止孔を設けた構成でなるものが開示されていた（例えば、特許文献１参照。）。
【０００３】
上記構成により、ユーザがフィルタの清掃を行なうため吸込グリルを開いても、アームの長さでその開度が規制されるため、危険な場所に触れることなく、また、工具（ドライバ）でアームを外すことにより、吸込グリルを制限なく開くことができるので、メンテナンス性も優れ、しかも、部品点数を増やすことなく安価に構成された吸込グリル開閉装置を有する空気調和機を提供することができるように記載されている。
【０００４】
しかしながら、吸込グリルを制限なく開く際、上記構成においては工具（ドライバ）でアームを外す必要があることから、もっと簡単に、例えば工具（ドライバ）でねじを外すだけで吸込グリルを制限なく開くことを可能にした構成にすることが望まれていた。
【特許文献１】特開平１１−１４０８９号公報（第１頁〜第３頁、第１図〜第３図）
【発明の開示】
【発明が解決しようとする課題】
【０００５】
本発明は上記の問題点に鑑み、吸込グリルの開度を規制するリンクの連結ピンを吸込口側部のガイド部に正確に連結できると共に、簡単に取り外しできるようにした空気調和機を提供することを目的とする。
【課題を解決するための手段】
【０００６】
本発明は、上記課題を解決するため、本体の吸込口に対応する吸込グリルの一側を開閉自在に枢支し、他側を係脱自在に係止する係止手段と、所定の開度に規制する規制手段とを備えた空気調和機であって、
前記規制手段が、前記吸込口の側部に設けられたガイド部と、前記吸込グリルの側部に設けられた支持部と、前記ガイド部に連結される連結ピンを一端に備え、前記支持部を通した支持ピンに連結されるボス部を他端に備え、前記連結ピンと前記ボス部との間を連結する連結桿を備え、前記吸込グリルの他側を所定の開度に規制するリンクとで構成されると共に、
前記ガイド部および、または前記支持部が軸孔とされ、前記連結ピンが、先端部に軸径方向に弾性変形する係止爪を備え、中心部に設けられた挿通孔に前記係止爪の弾性変形を規制する規制部材を着脱可能に備え、前記支持ピンが、基端部に前記支持部の周縁に係合するフランジを備え、先端部に軸径方向に弾性変形する係止爪を備えてなる構成となっている。
【０００７】
また、前記規制部材が、前記挿通孔に嵌挿される嵌挿ピンからなる構成となっている。
【０００８】
また、前記嵌挿ピンが、ピン径方向に弾性変形する割りピンからなる構成となっている。
【０００９】
更に、前記規制部材が、ねじ孔とされた前記挿通孔に螺着される止めねじからなる構成となっている。
【発明の効果】
【００１０】
本発明によれば、本体吸込口の側部に設けたガイド部に、吸込グリルの開度を規制するリンクの連結ピンを連結する際、連結ピンの挿通孔に係止爪の弾性変形を規制する規制部材を嵌脱可能に嵌挿することにより、係止爪が前記ガイド部から離脱しないようにしたので正確に連結できるようになる。
【００１１】
また、連結ピンの挿通孔から規制部材を取り外すことにより、係止爪を弾性変形により縮径させてリンクの連結ピンを簡単に取り外しできるようになり、吸込グリルを制限なく開くことを可能にした空気調和機となる。
【発明を実施するための最良の形態】
【００１２】
以下、本発明の実施の形態を、添付図面に基づいた実施例として詳細に説明する。
【００１３】
図１は本発明による空気調和機の外観斜視図、図２は本発明による吸込グリル半開した状態を示す空気調和機の外観斜視図、図３は図２で示すＡ部の斜視図、図４は図２の矢印Ｂで示す斜視図、図５は本発明による空気調和機の要部断面図、図６は本発明による空気調和機の要部斜視図である。
【００１４】
本発明による空気調和機は、図で示すように、本体Ａの吸込口１に対応する吸込グリル２を備えたメインパネルａと、吹出口ｃを備えた吹出パネルｂと、側面パネルｄとで構成され、前記吸込グリル２の一側を開閉自在に枢支し、他側を係脱自在に係止すると共に、所定の開度に規制する規制手段３を備えた構成になっている。
【００１５】
上記構成により、前記空気調和機を被空調室の天井面に吊下げ設置したり、または床面上に設置して、例えば前記吸込グリル２の裏面に挿脱可能に挿着されたフィルタ12を清掃する際、前記吸込グリル２を規制された所定の開度で開くことにより、前記フィルタ12を容易に挿脱できるようになっている。
【００１６】
その際、前記吸込グリル２が規制された所定の開度で開放されるので、例えば前記本体Ａの内部に設けられた図示しない送風ファンに対し、所定の開度で開放された前記吸込口１から手指を届かせてしまうほどには挿入できないので、手指が送風ファンに触れてしまう恐れがなくなって安全性を確保できるようになっている。
【００１７】
また、例えばメンテナンス時に前記吸込グリル２を制限なく開きたい場合には、同吸込グリル２が前記規制手段３によって所定の開度に規制されないようにするため、同規制手段３を構成する（後述する）部材の一部を取り外すようにすればよい。
【実施例１】
【００１８】
ここで、前記規制手段３の構成について、実施例１として示した図３〜図６に基づいて説明する。
【００１９】
前記規制手段３は、前記吸込口１の側部に設けられたガイド部４と、前記吸込グリル２の側部に設けられた支持部５と、前記ガイド部４に着脱可能に連結される連結ピン６を一端に備え、前記支持部５を通した支持ピン７に着脱可能に連結されるボス部８を他端に備え、前記連結ピン６と前記ボス部８との間を連結する連結桿９を備え、前記吸込グリル２の他側を所定の開度に規制するリンク10とで構成されている。
【００２０】
前記ガイド部４および前記支持部５の少なくとも何れか一方は、図３〜図５で示すように長孔状に形成された軸孔とされ、同軸孔に沿ってスライドするように連結される前記連結ピン６は、中心部に挿通孔6aを備え、図６で示すスリット6cによって軸径方向に拡縮可能に弾性変形する係止爪6bを先端部に備えた構成になっており、また、前記軸孔に沿ってスライドするように連結される前記支持ピン７は、基端部に前記支持部５の周縁に係止するフランジ7aを備え、図５で示すスリット7cによって軸径方向に拡縮可能に弾性変形する係止爪7bを先端部に備えた構成になっている。
【００２１】
そして、前記ガイド部４に前記連結ピン６を連結した際、図５で示すように、同連結ピン６の挿通孔6aに前記係止爪6bの弾性変形を規制する規制部材11を嵌脱可能に嵌挿することにより、前記係止爪6bが弾性変形によって縮径してしまわないようにし、同係止爪6cが前記ガイド部４から離脱してしまわないようにしている。
【００２２】
これによって、前記ガイド部４に前記連結ピン６を正確に連結させることができるようになり、同連結ピン６に多少の外力が加わったとしても、同連結ピン６が不意に外れてしまうようなことがなくなり、前記吸込グリル２が規制された所定の開度でのみ開くようになる。
【００２３】
なお、図５で示す前記規制部材11は、例えば前記挿通孔6aに嵌脱可能に嵌挿される嵌挿ピンからなる構成にすることにより、嵌挿ピンを用いるという簡便な構成で、前記係止爪6bが弾性変形によって縮径してしまわないようにすればよい。
【００２４】
その際、前記嵌挿ピンは、ピン径方向に拡縮可能に弾性変形する所謂割りピン（直径の調整を可能にするため胴の一部を切り離したもの）からなる構成にすることによって、前記挿通孔6aに対し容易に、且つ強固に嵌挿されることになる。
【００２５】
この場合、前記嵌挿ピンからなる規制部材11は、例えば押出しピンを用いることによって、図５で示す前記係止爪6b側となる前記挿通孔6aから押し出すようにすれば容易に取り外しできる。
【００２６】
または、前記挿通孔6aをねじ孔として形成する一方、前記規制部材11を前記ねじ孔に螺着される止めねじからなる構成にしてもよい。
【００２７】
この場合、工具（ドライバ）により前記ねじ11を取り外すことによって、前記係止爪6bを弾性変形させることにより縮径させて、前記ガイド部４から簡単に離脱させることができる。
【００２８】
つまり、上述したように、嵌挿ピンやねじからなる前記規制部材11を前記挿通孔6aから取り外すだけの簡単な作業で、前記係止爪6bを弾性変形させることができて、前記ガイド部４から前記連結ピン６を容易に離脱させることができるようになり、前記吸込グリル２を制限なく開くことができることになる。
【００２９】
以上説明したように、本発明による空気調和機によれば、前記吸込口１の側部に設けたガイド部４に、前記吸込グリル２の開度を規制するリンク10の連結ピン６を連結する際、同連結ピン６の挿通孔6aに前記規制部材11を嵌挿することによって前記係止爪6bの弾性変形による縮径をなくし、同係止爪6bが前記ガイド部４から離脱しないようになり、前記ガイド部４に前記連結ピン６を正確に連結できるようになる。
【００３０】
また、連結ピン６の挿通孔6aから前記規制部材11を取り外すことにより、前記係止爪6bを弾性変形によって縮径させて簡単に取り外しできるようになり、前記吸込グリル２を制限なく開くことが可能になる。
【図面の簡単な説明】
【００３１】
【図１】本発明による空気調和機の外観斜視図である。
【図２】本発明による吸込グリル半開した状態を示す空気調和機の外観斜視図である。
【図３】図２で示すＡ部の斜視図である。
【図４】図２の矢印Ｂで示す斜視図である。
【図５】本発明による空気調和機の要部断面図である。
【図６】本発明による空気調和機の要部斜視図である。
【符号の説明】
【００３２】
Ａ  空気調和機本体
１  吸込口
２  吸込グリル
３  規制手段
４  ガイド部
５  支持部
６  連結ピン
6a  ねじ孔
6b  係止爪
6c  スリット
７  支持ピン
7a  フランジ
7b  係止爪
7c  スリット
８  ボス部
９  連結桿
10  リンク
11  ねじ
12  フィルタ
ａ  メインパネル
ｂ  吹出パネル
ｃ  吹出口
ｄ  側面パネル
【図１】
2005049052.tif 000003
【図２】
2005049052.tif 000004
【図３】
2005049052.tif 000005
【図４】
2005049052.tif 000006
【図５】
2005049052.tif 000007
【図６】
2005049052.tif 000008